(57)【要約】      （修正有）【課題】医者からもらった薬や市販の薬を、患者が指示通りに服用したか、あるいは点眼薬や点鼻薬をきちんと使用したかどうかを簡単に確認し、チェックできるようにした円形薬用シールを提供する。【解決手段】薬の服用について、指示通りに薬を服用したかどうかを確認する為、薬袋あるいは薬用容器の表面または、キャップの上部あるいは底部に、台紙１ａの裏面に付いてる接着層を貼付して、薬を使用する度毎に、台紙表面に乗せた上部回転部１ｂを廻すことで識別部分１の確認が容易にできるため、いつでも簡単にチェックできるようにした。【選択図】図１
0003158074.tif 000002
【実用新案登録請求の範囲】
【請求項１】
薬の薬袋あるいは、薬瓶容器等に、貼付けた台紙１ａの表面に回転用の紙片、不透明媒体１ｂを上に乗せ、その上部回転部のタブ部分３を指先あるいは爪にて回転させることにより、下部台紙１ａの凸部分５ならびに上部回転部１ｂの凹部分６が各場所にて固定されるので、上部回転部の切欠き部分２にて下部台紙のそれぞれの識別部分１を確認することができる。
【請求項２】
また、その区別は任意で使い分けでき、ふたたび上部回転部を廻すことで、速やかに次の時間帯への指示と指定ができるようにした円形薬用シール。
【請求項３】
また、円形薬用シール下部台紙は自由に書き込み可能なため、患者の都合に合わせて設定することもできる。
【請求項４】
また、識別部分を点字に変えることにより、目の不自由な患者にも確認することができるようにもなる。
【請求項５】
切欠き部分に凸レンズを付けることで、より拡大になり、鮮明に見え容易に認識することができる。
【請求項６】
上部回転部のタブ部分を楕円形状あるいは、三角形、多角形にすることで廻しやすくもなる。
【請求項７】
そのうえキャップが小さいものでは、指先や爪では廻しずらくなるため、タブ部分に変わるものとして、シールの外周を溝状にすることで容易に廻すことが出来るようにもなる。
【考案の詳細な説明】
【技術分野】
【０００１】本願考案は、液状あるいは粉末状その他の内服薬を、数日間にわたって間違いなく服用したのを確認することができるようにした円形薬用シールであり、服用したかどうかを、簡単に確認できるように、薬袋あるいは容器の表面に貼付するものである。
【背景技術】
【０００２】一日当たりの服用回数に応じて、薬を指示どうりに服用したか、どうかを正確に確認チェックする手段が施されてないのが現状である、従って、このような事態を回避するために、チェックできるような方法を考案したものである。
【先行技術文献】
【特許文献】
【０００３】
【特許文献１】  特開平２００３−９７５５１０号  広報
【考案の概要】
【考案が解決しようとする課題】
【０００４】医療機関で投薬される薬にたいして、医者の指示通りに服用したか、どうかを簡単に確認でき、忙し過ぎて注意するのを怠ったりする人達や、物忘れがちだったりする人にとっても、薬の服用をチェックできるようにした円形薬用シールを提供することを目的とする。
【課題を解決するための手段】
【０００５】本願考案は、医療機関で投薬される薬にたいし、薬袋あるいは薬瓶容器の表面の見やすいところに貼り、貼る場所は使用する人の任意とし、下部台紙図３−１ａを貼付けたシールの表面に、上部回転部図５−１ｂを上に乗せ、タブ部分図５−３を指先または爪にて廻すことにより、識別判断として色別あるいは文字にて薬を服用したかどうかを、確認できるようにした円形薬用シールである。
【考案の効果】
【０００６】本願考案は、医療機関で投薬される薬の薬袋あるいは薬瓶容器の表面に張付ける一体化した円形薬用シールが図１であり、患者が薬を服用する度に、上部回転部図１−１ｂを指先または爪にて回転させることにより、薬を医者の指示通りにまちがいなく服用したかどうかを、簡単にチェックすることができる。【０００７】そのうえ、低コストでの提供が可能なため、一度使用したシールは使い捨てができ、余計な手間がかからない。【０００８】また、識別部分を点字に変えることにより、目の不自由な患者にも確認することができるようにもなる。
【図面の簡単な説明】
【０００９】
【図１】本願考案の正面図である
【図２】図１のｘ−ｘ断面図である
【図３】本願考案の下部の正面図である
【図４】図３のｙ−ｙ断面図である
【図５】本願考案の上部の正面図である
【図６】図５のｚ−ｚ断面図である
【符号の説明】
【００１０】１ａ．下部台紙
１ｂ．上部回転部
１．識別部分
２．切欠き部分
３．タブ部分
４．インデックス部分
５．凸部分
６．凹部分
７．連結部分
８．中心穴
９．接着層
【図１】
0003158074.tif 000003
【図２】
0003158074.tif 000004
【図３】
0003158074.tif 000005
【図４】
0003158074.tif 000006
【図５】
0003158074.tif 000007
【図６】
0003158074.tif 000008
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
薬の薬袋あるいは、薬瓶容器等に、貼付けた台紙１ａの表面に回転用の紙片、不透明媒体１ｂを上に乗せ、その上部回転部のタブ部分３を指先あるいは爪にて回転させることにより、下部台紙１ａの凸部分５ならびに上部回転部１ｂの凹部分６が各場所にて一致されるので、上部回転部の切欠き部分２にて下部台紙の識別部分１のそれぞれを確認することができるようにした円形薬用シール。
【請求項２】
識別部分１の区別は色別あるいは文字や数字にて分けられることができ、ふたたび上部回転部１ｂを廻すことで、速やかに次の時間帯への指示と指定ができる円形薬用シール。
【請求項３】
そのうえ、この識別部分１は使用者が任意で自由に書き込みが可能なため、患者の都合に合わせて設定できることを特徴とする円形薬用シール。
【請求項４】
また、識別部分１を点字に変えることにより、目の不自由な患者にも確認することができる円形薬用シール。
【請求項５】
上部回転部１ｂの切欠き部分２に、凸レンズを付けることで、より拡大になり、鮮明に見え容易に認識することができる円形薬用シール。
【請求項６】
そのうえ薬瓶のキャップに円形薬用シールを貼った場合、小さいものでは、指先や爪では廻しずらくなるため、タブ部分３に変わるものとして、上部回転部１ｂの外周を溝状にすることで容易に廻すことが出来る円形薬用シール。
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
薬袋あるいは、薬瓶容器に貼り付ける円形薬用シールであって、下部と上部で構成された二枚の同じ大きさの円形の台紙を重ね、中心穴で下部と上部を連結させ、上部の円形台紙には一部に切り欠き部分がもうけられてあり、その切り欠き部分により下部円形台紙の識別部分が確認でき、また上部の円形台紙は回転可能でタブなる突起部が付けてあり、中心穴を軸として突起部を指先あるいは爪にて廻すことで上部円形台紙の切り欠き部分が移動し下部円形台紙の識別部分を確認することができ、下部円形台紙の識別部分は四つに分けられており、その下部円形台紙の裏面には貼り付け可能な接着シールがもうけられ薬袋あるいは、薬瓶容器に固定される円形薬用シール。
【請求項２】
下部台紙１ａの識別部分１に点字を有することを特徴とする請求項１記載の円形薬用シール。